(57)【特許請求の範囲】
【請求項１】
管（６０）の内側に配置される、複数の巻き（５１−５４）を含む主としてコイル（５０）から成る熱交換器（１００）を取り付けるための方法であって、
ａ）  管（６０）、コイル（５０）、およびピン、
バー（２２）、およびバーに垂直な複数の平行歯（２４）を含む櫛体（２０）、ならびに
櫛体の端部に配置されることができ、バーの軸線の周りにそれの回転を可能にするように櫛体を保持する２つの支持体（４０Ａ、４０Ｂ）
が準備されるステップと、
ｂ）前記２つの支持体のうちの第１の支持体（４０Ａ）が、管（６０）の内壁に配置され取り付けられるステップと、
ｃ）櫛体（２０）が、前記壁に接して包まれるように櫛体（２０）を保持することによって管の中に配置されるステップと、
ｄ）コイル（５０）が、所定の位置に置かれるステップと、
ｅ）ステップｂ）およびｃ）の後に、その歯（２４）が半径方向に管（６０）の中に向けられ、コイル（５０）の巻きを軸線方向に阻止するように、櫛体（２０）が、枢動されるステップと、
ｇ）前記支持体のうちの第２の支持体（４０Ｂ）が、管（６０）の内壁に配置され取り付けられるステップと、
ｈ）前記歯の間を通過する巻きの全部または巻きの一部がバーから離れることを防止する阻止装置（３０）を構成するように、ピンが、櫛体におよび／または支持体に取り付けられるステップと、
を含む、方法。
【請求項２】
ステップｇ）およびｈ）が、第２の支持体（４０Ｂ）を管の内壁に配置することによって、および少なくともピンを阻止するようにピンを前記支持体（４０Ｂ)に取り付けることによって同時に達成され、それによって阻止装置を構成することを特徴とする、請求項１に記載の取付方法。
【請求項３】
ピン（３２）が、櫛体（２０）の歯の少なくとも１つの穴を通過することができ、本方法がステップｇ）より前にステップｆ）をさらに含み、その間にピンが、櫛体の歯の前記少なくとも１つの穴にそれを通過させることによって所定の位置に置かれる、請求項２に記載の取付方法。
【請求項４】
少なくとも１つのパイプを保持するための少なくとも１つの保持システム（１０１、１０２、１０３）と円筒形の管と備えるアセンブリであって、
少なくとも１つの保持システムは、
バー（２２）、およびバーに垂直な複数の平行歯（２４）を含む櫛体（２０）と、
前記歯のうちの２つの間を通過するパイプがバーから離れることを防止することができる阻止装置（３０）と、
を備え、
阻止装置が本質的にピン（３２）から成り、
前記のシステムは、櫛体の端部に配置され、バーの軸線の周りにそれの回転を可能にするように櫛体を保持する２つの支持体（４０Ａ、４０Ｂ）をさらに備え、支持体の各々は、円筒形の管の内壁に取り付けられることを特徴とする、アセンブリ。
【請求項５】
阻止装置が、バーの少なくとも２つの歯（２４Ａ、２４Ｃ、２４Ｅ）に支持される、請求項４に記載のアセンブリ。
【請求項６】
ピン（３２）が、シェルの軸線に沿って分割される略円筒形状のシェルを備える、請求項４または５に記載のアセンブリ。
【請求項７】
阻止装置が、少なくとも１つのパイプ支持ノッチ（３２Ａ−３２Ｄ）を有する、請求項４から６のいずれか一項に記載のアセンブリ。
【請求項８】
櫛体の少なくとも１つの歯が穴を有し、ピンがこれの中を通過するように構成される、請求項４から７のいずれか一項に記載のアセンブリ。
【請求項９】
複数の通路（２６）が櫛体に配置されており、通路の各々は２つの隣接する歯の間に配置されており、パイプは通路を通っており、通路（２６）の円筒形の表面の軸線は円筒形の管の軸線に対して垂直ではない、請求項４から８のいずれか一項に記載のアセンブリ。
【請求項１０】
２つの隣接する歯の間の櫛体の少なくとも１つの通路（２６）が、円筒形の一部の形状またはトーラスの一部の形状を有する、請求項４から９のいずれか一項に記載のアセンブリ。
【請求項１１】
前記管の軸線（Ａ）の周りに非対称に配置される、前記円筒形の管（６０）の内壁に取り付けられる複数の保持システム（１０１、１０２、１０３）を備える請求項４から１０のいずれか一項に記載のアセンブリであって、前記保持システムの各々が、請求項４に記載のシステムである、アセンブリ。
【請求項１２】
請求項４から１１のいずれか一項に記載のアセンブリを含む、熱交換器（１００）。
【請求項１３】
請求項４から１１のいずれか一項に記載のアセンブリ、および／または請求項１２に記載の熱交換器を含む、工業的製造装置（１０００）。
【請求項１４】
請求項４から１１のいずれか一項に記載のアセンブリ、および／または請求項１２に記載の熱交換器を含む、ロケットエンジン（１０００）。
【発明の詳細な説明】
【技術分野】
【０００１】
本発明は、少なくとも１つのパイプ、特に、それが取り付けられる構造体に対してその変位を引き起こす傾向がある力を受けるパイプを保持するための保持システムに関する。このような力は、この構造体の加速によって、ならびに／あるいはパイプおよび／または構造体が受ける熱膨張または熱収縮によって、およびガス流の乱れによって引き起こされ得る。
【背景技術】
【０００２】
この文献においては、本発明は、基本的に、１つの（単一の）パイプを参照することによって説明されるが、しかしながら、本発明はまた、互いに異なるいくつかのパイプを保持する働きをする保持システムにも適用できることがよく理解されなければならない。
【０００３】
本発明の１つの重要な用途は、ロケットエンジン用の熱交換器に関する。この交換器は、主として、（円形断面の）円筒形の管の内側に取り付けられる、螺旋巻きを形成するように渦巻き状に巻かれた、コイルと呼ばれるパイプから成り、それの直径は、コイルの巻きの直径よりも僅かに大きいだけである。
【０００４】
ヒーターと呼ばれるこの熱交換器は、ロケットエンジンの排気ガスから熱を奪うことによって、ロケットエンジンによって燃料として使用される水素を加熱するのに使用される。すなわち、液体水素が、およそ４０Ｋの温度でコイルに注入され、これは、およそ４００Ｋの温度でコイルを離れる。水素は、円筒形の管内で循環する排気ガスによって加熱され、それは、７００Ｋに近い温度を有する。
【０００５】
コイルは、それが受ける非常に大きい温度差のため熱膨張差をかなり受ける傾向があることが理解される。これらの温度差は、特にそれの小さな厚さ（２５０ｍｍに近いコイル直径の場合に、僅か１ｍｍ）によって可能にされる、コイルの変形を生じる傾向がある。
【０００６】
コイルを保持するためのシステムは、これらの熱膨張および熱収縮によるコイルの変位を許容値に制限することができなければならない。
【０００７】
他方では、ロケットの中に担持されると、コイルは、非常に強い振動および加速度、ならびにガスの乱れを受ける。したがって、コイルは、これらの応力に耐えるように半径方向および軸線方向にまた保持されなければならない。
【０００８】
逆に、コイルの機械的保持は、前述の理由のため不可欠であるが、コイルの機械的応力のレベルをやはりできるだけ低く維持しながら行われなければならない。実際に、このような応力は、コイルの劣化、および特に、ロケットエンジンの水素分配回路の上流および下流部分とのその結合によってコイルの端部に形成される溶接部の劣化を生じ、それによって、エンジンの水素漏れを生じる可能性が高い。このような漏れは、当然容認できない。
【発明の概要】
【発明が解決しようとする課題】
【０００９】
したがって、本発明の第１の態様の目的は、パイプの機械的応力の最小レベルを安価に維持しながら、これらの応力が、熱膨張または熱収縮と関係があり、かつ／あるいは、パイプが、および／またはパイプが取り付けられる構造体が受ける振動または加速度によるものであるにせよ、それが受けるまたはそれらが受ける応力にもかかわらず、このまたはこれらのパイプを保持することができる、少なくとも１つのパイプを保持するための保持システムを提案することである。
【課題を解決するための手段】
【００１０】
この目的は、保持システムがバー、およびバーに垂直な複数の平行歯を含む櫛体と、前記歯のうちの２つの間を通過するパイプがバーから離れることを防止することができる阻止装置とを備える事実によって達成される。
【００１１】
前述の文においては、パイプは、このように阻止装置が２つの歯の間を通過するパイプがバーから離れることを防止することができるように円筒形状を有すると仮定され、２つの考慮された歯の間に形成される通路が（前記通路に配置されまたは面する）前記阻止装置によって少なくとも部分的に阻まれ、阻止装置がさらにバーから一定の距離に保持されれば十分である。櫛体は、バーに対しておよび歯に対して概ね垂直な軸線を持つ、パイプセグメントの体積を含む自由通路を２つの考慮された歯の間に特に有することができ、阻止装置は、セグメントを櫛体から遠ざけて櫛体からこれを除去する方向に考慮された櫛体歯の間でこのセグメントの変位中にこのパイプセグメントがこの壁またはこの障害物に必ず遭遇しまたは突き当たるように配置される壁または障害物を含む。
【００１２】
有利なことに、本発明によって、１つまたは複数のパイプが櫛体の歯の間を通過するように平行に配置され、阻止装置は、これまたはこれらのパイプを適切な位置に保持し、したがって、保持システムがこれまたはこれらのパイプの保持を確実に提供できるようになっている。
【００１３】
阻止装置による１つまたは複数のパイプの保持は、パイプに無用な応力を加えることを回避するように比較的緩く達成されることが好ましい。保持システムは、特に、櫛体の歯の間の自由通路の軸線方向に沿って、すなわちパイプの軸線方向にパイプの変位を可能にすることができる。
【００１４】
パイプは、通常、管に保持されるよう意図されているコイルの形状を有する。この場合は、阻止装置による管内のコイルの異なる巻きの比較的緩い保持により、コイルの巻きの膨張、およびしたがって、管に対してコイルの１つまたは複数の巻きの可能な回転ができる。
【００１５】
保持システムにおいては、次の構成が単独でまたは組み合わせで採用されることが好ましく、すなわち、
−阻止装置は、バーの少なくとも２つの歯に、および特に、バーの端部にある２つの端部歯に支持され得る。
【００１６】
−阻止装置は、バーの端部から遠い方の少なくとも１つの中間歯に支持され得る。
【００１７】
−阻止装置は、本質的にピンから成り得る。ピンは、ここに、細長形状の部品、特にロッドを示す。ロッドは、中空、および／または分割されることができる。
【００１８】
−櫛体の少なくとも１つの歯は、穴を有することができ、ピンは、それの中を通過するように構成され（かつ通過することができ）得る。
【００１９】
−このピンは、シェルの軸線に沿って分割される略円筒形状のシェルを備えることができる。この形状により、実際に、ピンの半径方向の弾性変形ができる。
【００２０】
−阻止装置は、特に実質的に円筒形またはトロイダル形状の、少なくとも１つのパイプ支持ノッチを有することができる。
【００２１】
−パイプ支持ノッチは、パイプの通路の最大直径に少なくとも等しいパイプの（またはパイプのために設けられる通路の）軸線に沿った領域にわたって同一のものの支持を可能にすることができる。
【００２２】
−２つの隣接する歯の間の櫛体の少なくとも１つの通路は、バーの軸線に対して傾斜を有することができる。
【００２３】
−２つの隣接する歯の間の櫛体の少なくとも１つの通路は、円筒形またはトロイダル形状を有することができる。
【００２４】
−システムは、櫛体の端部に配置される２つの支持体をさらに備えることができる。これらの支持体は、バーの軸線の周りにそれの回転を可能にするように櫛体を保持するように構成され得る。
【００２５】
−これらの支持体は、あるいは、阻止装置を保持し、または保持することに寄与することができる。したがって、阻止装置は、少なくとも１つの支持体に、またはあるいは両方の支持体に支持され得る。
【００２６】
支持体の各々は、パイプが取り付けられることになる、壁、たとえば管の壁に取り付けられるように構成され得る。
【００２７】
また、本発明により、前記管の軸線の周りに非対称に配置される、円筒形の管の内壁に取り付けられる複数の保持システムを含むアセンブリを得ることができる。このようなアセンブリは、コイルと呼ばれる、管内に螺旋状に渦巻き状に巻かれるパイプを維持するのに適応している。保持システムは、これを最小限に変形させながらコイルの巻きを支持するように、規則的に千鳥状の位置に（管の軸線に沿って）軸線方向に配置されることが好ましい。
【００２８】
また、本発明は、先に定義されたように、少なくとも１つの保持システムおよび／またはアセンブリを含む、熱交換器に関する。
【００２９】
最後に、本発明は、より一般的には、先に定義されたように、少なくとも１つのシステム、および／またはアセンブリ、および／または熱交換器を含む、ロケットエンジンに、または同様に工業的製造装置に関する。
【００３０】
本発明の第２の態様は、管の内側に配置される、複数の巻きを含む主としてコイルから成る熱交換器を取り付けるための方法に関する。本発明の第２の態様に従って、熱交換器は、次の作業、すなわち、
ａ）
管、コイル、およびピン、
バー、およびバーに垂直な複数の平行歯を含む櫛体、ならびに
櫛体の端部に配置されることができ、バーの軸線の周りにそれの回転を可能にするように櫛体保持する２つの支持体
が準備されるステップと、
ｂ）２つの支持体のうちの第１の支持体が、管の内壁に配置され取り付けられるステップと、
ｃ）櫛体が、前記壁に接して包まれるような方法で櫛体を保持することによって管の中に配置されるステップと、
ｄ）コイルが、所定の（すなわち、管の内側に、かつ管に対して概ね同軸に配置される）位置に置かれるステップと、
ｅ）ステップｂ）およびｃ）の後に、その歯が半径方向に管の中に向けられ、コイルの巻き（少なくとも１つの巻き、あるいは巻きの全部）を軸線方向に阻止するように、櫛体が枢動されるステップと、
ｇ）支持体のうちの第２の支持体が、管の内壁に配置され取り付けられるステップと、
ｈ）前記歯の間を通過する巻きの全部または巻きの一部がバーから離れることを防止する阻止装置（３０）を構成するように、ピンが、櫛体におよび／または支持体に取り付けられるステップと、
によって取り付けられる。
【００３１】
上記で定義された方法においては、ステップｃ）およびｄ）は、任意の順序（ステップｄ）の前にステップｃ）、またはステップｃ）の前にステップｄ））で実行され得る。
【００３２】
実際に、櫛体が壁に接して包まれる位置に配置される限りは（歯の軸線が局所的に壁に実質的に平行であることを意味する）、櫛体およびコイルは、互いに独立して管の中に配置されまたは移動され得る。
【００３３】
１つの実施形態においては、ステップａ）において準備されるピンは、櫛体の歯の少なくとも１つの穴を通過することができるように選択される。
【００３４】
この場合は、本方法は、ステップｇ）より前にステップｆ）を特に含むことができ、その間にピンは、櫛体の歯の前記少なくとも１つの穴にそれを通過させることによって所定の位置に置かれる。
【００３５】
１つの実施形態においては、ステップｇ）およびｈ）は、第２の支持体を管の内壁に配置することによって、および少なくともピンを阻止するようにピンをこれに取り付けることによって同時にまたは実質的に同時に達成され、それによって阻止装置を構成する。
【００３６】
１つのほかの実施形態においては、方法は、（少なくともその長手方向に）弾性ピンを用いることによって実施される。
【００３７】
次いで、ステップｈ）が、次の方法でステップｇ）の後に達成され、すなわち、ピンは、その長手方向に圧縮され、
それは、支持体の間に適切な位置に配置されまたは置かれ、次いで、
それは、支持体の間に阻止されるような方法で解放されまたは弛められる。
【００３８】
ステップｇ）においては、第２の支持体を取り付けた後に、または上記の場合にピンを弛めた後に、可能なままであり得るその長手方向軸線の周りのピンの回転を除いて、通常、ピンの自由度のすべてが阻止される。
【００３９】
ピンのこの阻止の後に、櫛体の歯の間に配置されるコイルの巻きのそれらは、ピンによって阻止され、櫛体の歯から離れることが防止される。しかしながら、先に指摘したように、これらの螺旋は、通常、それらの円周方向に管の壁（および櫛体）に対して移動できる可能性を保持する。
【００４０】
本発明は、非限定的な実施例として示される実施形態について、後に続く詳細な説明を読むと十分に理解されるであろうし、その利点がよりはっきりと明らかになるであろう。説明は、添付の図面を参照している。
【図面の簡単な説明】
【００４１】
【図１】本発明による３つの保持システムを備える、ロケットエンジン用のヒーターの斜視概略図である。
【図２】図１に示される保持システムのうちの１つの斜視概略図である。
【図３】図１に示されるヒーターの、保持システムに垂直な部分概略断面図である。
【図４】図１に示されるヒーターの取り付けステップの斜視概略図である。
【発明を実施するための形態】
【００４２】
図１に見られるように、ヒーター１００は、コイル５０と、円筒形の管６０と、管６０にコイル５０を取り付けるのに使用される３つの同一の保持システム１０１、１０２、１０３とを備える。
【００４３】
コイルは、管６０の軸線Ａに沿って２つずつ一定のピッチＰでずらされる４つの実質的に同一の巻き５１、５２、５３、および５４（図３）を含む。コイルの端部は、管６０の壁を通過し、水素分配回路の上流および下流部分（図示せず）に接合具５５Ａ、５５Ｂによって取り付けられる。
【００４４】
ヒーター１００は、そのヒーターのみが示されるロケットエンジン１０００の一部である。
【００４５】
あるいは、参照記号１０００は工業的装置を示しており、ヒーター１００はその一部であることになると考えることができる。
【００４６】
水素が、接合具５５Ａを通しておよそ４０Ｋの温度でコイルに注入され、およそ４００Ｋの温度でコイルの接合具５５ｂを介して去る。
【００４７】
保持システム１０１、１０２、および１０３は、同一であり、したがって、システム１０１のみが、次に図２を参照して説明されることになる。
【００４８】
システム１０１は、櫛体２０と、本質的にピン３２から成る阻止装置３０とを含む。
【００４９】
櫛体２０は、バー２２と、バーに垂直な５つの平行歯２４Ａ、２４Ｂ、２４Ｃ、２４Ｄ、および２４Ｅを含む。歯２４Ａから２４Ｅは、集合的に参照記号２４で示される。
【００５０】
歯の間に、通路２６Ａ、２６Ｂ、２６Ｃ、および２６Ｄが配置され、通路２６として集合的に示される。
【００５１】
コイル５０が保持システム１０１によって保持位置にある場合は、異なる巻き５１から５４は、それぞれ異なる通路２６Ａから２６Ｄの中に通過し、各巻きは、２つの隣接する歯の間を通過する。
【００５２】
巻き５１−５４の各々は、バー２２から離れ、および内部に向かって半径方向にそれ自体移動させ、すなわち軸線Ａに近づくことをピン３２によって防止される。そのうえ、巻きの各々は、それが通過する通路の壁によって軸線方向に保持され、それは、異なる歯２６Ａから２６Ｅの表面である。
【００５３】
通路２６は、円筒形状、すなわち円筒体の一部の形状（これは、あるいはトロイダルであろう）、およびより正確には、それの半径が巻きの横断面の半径Ｒに等しいかまたは極めて僅かにより大きい円筒体の形状を有する（図３）。したがって、各巻きは、点に関しての支持ではなく、それが置かれる通路２６の底部に配置していることができる。通路２６は、巻きの軸線方向保持のために設けられ、さらに、軸線Ａから離れるようにまたは軸線Ａの方へそれを移動させる傾向がある方向の巻きの半径方向移動を制限する。
【００５４】
そのうえ、異なる通路２６の円筒形の表面の軸線は、軸線Ａに対して垂直ではない。（「通路の軸線」と呼ばれる）これらの軸線は、実際にはバー２２の軸線に対して僅かに傾斜され、傾斜角（角度α）は、管６０の軸線Ａに対してコイルの巻きによって形成される傾斜角に等しい。櫛体２０が管６０の内側に取り付けられる場合は、それらのバー２２の軸線は、この場合軸線Ａに平行であり、通路２６の軸線は、これらの巻きが異なる通路２６の中に支持される点において、コイルの巻きの軸線に局所的に平行であるという結果になる。
【００５５】
櫛体２０に対する阻止装置３０（ピン３２）の保持および取り付けは、櫛体２０の歯によって行われる。
【００５６】
この目的のために、バー２２の端部にある歯または端部歯（２４Ａおよび２４Ｅ）、ならびに中央歯２４Ｃは、中間歯２４Ｂおよび２４Ｄよりも細長である。実際に、歯２４Ａ、２４Ｃ、および２４Ｅは細長であり、各々は、貫通穴が形成される（これらの歯の各々について１つの穴）平坦化された端部を含み、このように形成される３つの穴は、櫛体２０のバー２２の軸線と平行な軸線と同心にされる。
【００５７】
これらの穴の直径は、これらの穴の中のピン３２の通路および自由回転を可能にするように選択される。このように形成される３つの穴を通過する際に、ピン３２は、３つの歯２４Ａ、２４Ｃ、および２４Ｅに支持され、それは、バー２２の軸線に垂直な平面でその変位を阻止し、それによって、バー２２から離れるようにそれらを移動させる傾向のある巻きの移動すべてを防止するその機能を果たすことができる。
【００５８】
ピン３２は、直線バーの全体形状を有する。しかしながら、ピンは、実際には中空であり、概ね管状の全体形状を持つシェルから成る。このエンベロープは、ピンが応力を受けない場合に、スロットの端縁が互いに僅かに引き離されるような方法で、ピンの全長にわたってシェルの軸線に沿って分割される。この形状により、後で明らかにされるように、巻きがピンを押圧すると、ピンが（塑性的ではなく）弾性的に押し縮むことができるようになっている。
【００５９】
ピンは、４つの巻き支持ノッチ３２Ａ、３２Ｂ、３２Ｃ、および３２Ｄをさらに有する（図３）。これらのノッチは、円筒体の部分として実質的に形成され、それらは、巻きのうちの１つがピンによって支持される場合に、巻きに対して点に関してよりはむしろ、拡張した支持面を提供することができ、それは、巻きの応力レベルが適度のままであり、局所的な応力ピークの出現が回避されることを意味する。
【００６０】
支持面は、パイプの軸線において、パイプの直径に少なくとも等しいパイプの軸線に沿った範囲にわたって延在する。
【００６１】
ノッチは、ピッチＰによって２つずつ間隔を置いて配置され、ピン３２の同じ側に配置される。
【００６２】
保持システム１０１は、櫛体２２の端部に配置される、２つの支持体４０Ａおよび４０Ｂをさらに含む。これらの支持体は、バー２２の軸線の周りのその回転を除いて、櫛体２０の任意の平行移動および任意の回転を防止するために使用され、それは、次に述べられるように、特にシステムの取り付けができるように許容されたままである。
【００６３】
支持体４０Ａおよび４０Ｂはまた、ヒーター１００の軸線方向にピン３２を保持するのに使用される。この目的のために、支持体４０Ａおよび４０Ｂは、ピン３２の軸線に垂直な壁と接して配置され、それは、平行移動時にピン３２を阻止し、ノッチが軸線方向に巻き５１から５４とおよび異なる通路２６と同じレベルにある位置に、（バーの軸線Ａに対して）軸線方向にとどまらせる。
【００６４】
ヒーター１００を取り付けるために、行われるべき作業は、次のようであり、すなわち、
ａ）円筒形の管６０、コイル５０、ならびに３つの保持システムを作り出すための必要な構成要素、すなわち３つの櫛体２０、３つのピン３２、および３つの対の支持体４０Ａ、４０Ｂが準備される。
【００６５】
ｂ）次いで、３つの支持体４０ａが、管の内壁に配置され取り付けられる（各支持体４０Ａは、それが一部である保持システムのための下部の支持体である）。
【００６６】
ｄ）コイル５０が、適切な位置に置かれる。
【００６７】
ｃ）櫛体２０が、それらが壁に接して包まれるような方法でそれらを保持しながら配置される。この目的のために、櫛体が、管の壁とコイルの巻きとの間に滑り込まされる。
【００６８】
ｅ）櫛体２０は、それらの歯が半径方向に管６０の中に向けられ、コイル５０の巻き５１−５４を軸線方向に阻止するように枢動される。
【００６９】
ｆ）各保持システムについて、ピン３２は、櫛体２０の歯２４Ａ、２４Ｃ、および２４Ｅの穴にそれを通過させることによって配置される（ピン３２は、塑性変形なしに圧縮される）。
【００７０】
ｇ）支持体４０Ｂが配置され（各支持体４０Ｂは、第２の支持体、またはそれが一部である保持システムのための上部支持体である）、それらは、ピン３２の、およびしたがってコイル５０の巻きの阻止を完了するように管６０の壁に取り付けられる。
【００７１】
より詳細には、行われるべき取り付け作業は、下記のものであり、すなわち、
ｂ）３つの支持体４０Ａが、管６０の壁に配置され取り付けられる。
【００７２】
ｄ）コイル５０が、適切な位置に置かれる。
【００７３】
ｃ）次いで、櫛体２０が、配置され、それらが壁に接して包まれるような方法でそれらを保持する。
【００７４】
ｅ）次いで、櫛体２０は、それらの歯が半径方向に管６０の中に向けられ、コイル５０の巻き５１−５４を軸線方向に阻止するように枢動される。
【００７５】
ｆ）弾性ピン３２が配置され、それは、（確実にコイル５０を損傷しないようにしながら）歯２４Ａ、２４Ｃ、および２４Ｅの穴にそれらを通過させることによって、それらに塑性変形を受けさせることなしに圧縮される。
【００７６】
ｇ）支持体４０Ｂが、配置され、それらは、管６０の壁に取り付けられ、それにより、ピン３２をおよびしたがって、コイル５０の巻きを阻止することが完了する。
【００７７】
ステップｃ）中に、櫛体２０は、バー２２の軸線が軸線Ａに沿って方向付けられるような方法で支持体４０Ａに配置され、櫛体の歯は、管６０の非半径方向に方向付けられ、それは、櫛体２０の「包まれた」位置に対応することに気付かれよう。櫛体２０のこの包まれた位置においては、櫛体の歯は、円周方向、または少なくとも実質的に円周方向に向けられることが好ましい。この位置においては、櫛体２０は、管とコイルとの間で、巻き５１−５４の周りを通過することができるように十分に薄い。いったん櫛体２０が支持体４０Ａに配置され、したがって、（軸線Ａに対して）軸線方向に所望の位置にあると、ステップｅ）において、それらはバー２２の軸線の周りに枢動され、それは、歯を半径方向に管６０の中に向けた状態で、櫛体を図１に示される位置に持って来る。
【００７８】
いったん作業ａ）およびｇ）が行われると、コイル５０は、接合具５５Ａおよび５５Ｂを用いて管６０の壁を通して水素分配回路に接続される（図１）。
【００７９】
そのうえ、また、３つの保持システム１０１、１０２、および１０３は、管６０の同じレベルに軸線方向に配置されないことに気付かれよう。それらは、実際に軸線方向に２つずつ移動させられ、その結果、保持システムの位置は、それが保持しなければならない巻きの位置に軸線方向に対応する。したがって、３つの保持システムを１２０°だけ角度的に間隔を置いて配置した状態で、コイル５０の巻きのピッチＰの１／３に等しいピッチによって２つずつシステムを移動させるのに適している。この構成は、図３に示されており、そこでは、システム１０１の頂部を通過する軸線Ａを持つ円Ｃが示されている。コイルの巻きの傾斜により、システム１０２は、Ｐ／３に等しい距離Ｄ１だけ軸線方向に移動させられ、システム１０３は、２Ｐ／３に等しい距離Ｄ２だけ軸線方向に移動させられる。
【００８０】
ロケットエンジン１０００の作動中に、ヒーターは、次のようなやり方で動き、すなわち、
接合具５５Ａを介してコイル５０に注入される水素は、およそ４０Ｋの温度にある。この水素は、コイルを通過することによって加熱され、結果として、コイルの壁を冷却する傾向がある。
【００８１】
巻き５１は極めて僅かに（しかしながら、無意味ではない）収縮し、巻き５２はむしろ非常に収縮する傾向があるという結果になる。この収縮により、巻き５２は、ノッチ３２Ｂにおいてピン３２を押圧する。ピン３２が分割されるので、それは、軸線Ａの方へ巻き５２の僅かな半径方向変位を可能にするように、弾性的に、局所的に変形する。
【００８２】
他方では、巻き５３および５４は、これらの巻きの中に含まれる水素の温度が巻き５１および５２の中に含まれる水素の温度よりもかなり高いので、（軸線Ａに対して測定される）直径が膨張し増加する傾向を有する。
【００８３】
ピン３２および櫛体２０は、エンジン１０００が作動する場合に、巻きすべてが好ましくはピン３２を押圧するような方法で配置され、それにより、多かれ少なかれそれの半径方向の変形が生じる（図３）。
【００８４】
これらの半径方向の変形は、弾性変形である。これにより、ヒーター１００の温度の変動を問わず、ピンはコイル５０の巻きに対して弾性支持体を持続し、それによって、潜在的な振動発生器である、隙間の出現を回避することが可能である。
【００８５】
図３に示されるように、ヒーター１００が起動された時に、巻きは、僅かな半径方向の変形を受け、それは、保持システム１０１、１０２、および１０３によって封じ込められる。これらの半径方向の変形は、管６０の円周方向に沿った巻きの僅かな変位が伴い得る。櫛体２０がバー２２の軸線の周りを自由に回転でき、ピン３２がまた、それら自身の軸線の周りを自由に回転できるので、巻き５１−５４の円周方向に沿ったこれらの変位は、櫛体２０および／または問題のピン３２の回転をある程度まで伴うことができ、それはまた、巻きにおいて到達される応力レベルの制限に寄与する。
【００８６】
加えて、通路２６の僅かな傾斜（角度α）、巻き５１の形状を受け入れるそれらの円筒形状、およびピンに配置されるノッチにより、巻き５１から５４は、分配された、点に関してではない支持体を保持システム１０１および１０３上に有することができるようになっている。
【００８７】
これらの異なる特徴により、保持システム１０１、１０２、１０３は、その中に機械的応力のレベルを最小レベルに制限しながらコイル５０を適切な位置に保持することができる。
【００８８】
提示された実施形態は、３つの保持システムおよび４つの巻きを備える。本発明は、当然、任意の数の保持システムおよびコイルの巻きに適用できる。また、保持システムは、直線状の管、またはほかのものにも使用できる。
【００８９】
そのうえ、本発明に従う保持システムは、宇宙産業に使用され得る。また、これは、大きな熱応力を受けるコイル交換装置が使用される産業すべてにより広く関連し得る。
【図１】
0006580584.tif 000002
【図２】
0006580584.tif 000003
【図３】
0006580584.tif 000004
【図４】
0006580584.tif 000005